(57)【特許請求の範囲】
【請求項１】
測定対象物に固定され、該測定対象物の温度および振動の少なくとも一方を検出し、その検出信号を送信する複数の信号線を有するセンサ本体と、
上記信号線が接続され、上記検出信号を外部機器へ送信する通信機と、
上記センサ本体と上記通信機とに連結され且つ内部に上記信号線が挿通されるフレキシブル管とを備え、
上記フレキシブル管は、
波形状の管壁を有し、上記センサ本体と上記通信機とに連結される本体管と、
上記本体管に内挿され且つ両端がそれぞれ上記本体管の端部に固定され、上記信号線が挿通される複数のチューブと、
上記本体管に内挿され、内部が上記複数のチューブが各一ずつ挿通される複数の空間に仕切られた筒状部材とを備えている
ことを特徴とするセンサ装置。
【発明の詳細な説明】
【技術分野】
【０００１】
本願は、測定対象物に固定して測定対象物の振動や温度を検出するセンサ装置に関するものである。
【背景技術】
【０００２】
例えば特許文献１に開示されているように、測定対象物に固定されて温度や振動を検出するセンサが知られている。また、このようなセンサと信号線で接続され、センサによって検出された温度等に関する信号を処理し外部機器へ送信する通信機が、例えば特許文献２に開示されている。
【先行技術文献】
【特許文献】
【０００３】
【特許文献１】特開２００８−１７０３８８号公報
【特許文献２】特開２００９−１３３７５５号公報
【発明の概要】
【発明が解決しようとする課題】
【０００４】
ところで、上述したようなセンサおよび通信機では、通信機の位置や向きを任意に調整するために、センサと通信機とを波形状のフレキシブル管で接続し、センサからの複数の信号線をフレキシブル管内を通して通信機に接続する場合がある。この場合、フレキシブル管の管壁が凹凸形状であるため信号線をフレキシブル管に通し難いことから、フレキシブル管に樹脂製の細いチューブ（配線チューブ）が複数内挿し、その各チューブ内に信号線を挿通することが行われる。各チューブは、両端がフレキシブル管の両端部に固定された状態でフレキシブル管内に内挿される。
【０００５】
しかしながら、上述したような形態では、フレキシブル管の端部とセンサおよび通信機とをねじ締結する際、チューブの端部が捻られて複数のチューブ同士が絡み合うという問題があった。チューブ同士が絡み合うと、チューブが損傷して信号線が断線する虞がある。また、チューブ同士が絡み合うと、点検やメンテナンス等で分解した後に再組立てする際、チューブをフレキシブル管に内挿し難くなるという問題がある。
【０００６】
本願に開示の技術は、かかる事情に鑑みてなされたものであり、センサ本体と通信機とを波形状のフレキシブル管で接続したセンサ装置において、フレキシブル管に内挿される複数のチューブ同士が絡み合うのを防止することにある。
【課題を解決するための手段】
【０００７】
本願のセンサ装置は、センサ本体と、通信機と、フレキシブル管とを備えている。上記センサ本体は、測定対象物に固定され、該測定対象物の温度および振動の少なくとも一方を検出し、その検出信号を送信する複数の信号線を有するものである。上記通信機は、上記信号線が接続され、上記検出信号を外部機器へ送信するものである。上記フレキシブル管は、上記センサ本体と上記通信機とに連結され且つ内部に上記信号線が挿通されるものである。具体的に、上記フレキシブル管は、波形状の管壁を有し、上記センサ本体と上記通信機とに連結される本体管と、上記本体管に内挿され且つ両端がそれぞれ上記本体管の端部に固定され、上記信号線が挿通される複数のチューブと、上記本体管に内挿され、内部が上記複数のチューブが各一ずつ挿通される複数の空間に仕切られた筒状部材とを備えているものである。
【発明の効果】
【０００８】
本願のセンサ装置によれば、内部が複数のチューブが各一ずつ挿通される複数の空間に仕切られた筒状部材を、フレキシブル管の本体管に内挿するようにしたので、フレキシブル管の本体管内において複数のチューブ同士が接触することはない。したがって、本体管の端部とセンサ本体および通信機とをねじ締結する際、各チューブの端部が捻られても、複数のチューブ同士が絡み合うことを防止することができる。その結果、チューブが損傷して信号線が断線する事態を防止することができるし、また、点検やメンテナンス等で分解した後に再組立てする際、容易に複数のチューブをフレキシブル管に内挿することができる。
【図面の簡単な説明】
【０００９】
【図１】図１は、実施形態に係るセンサ装置の概略構成を示す正面図である。
【図２】図２は、実施形態に係るフレキシブル管の概略構成を示す断面図である。
【図３】図３は、図２におけるＡ−Ａ線の断面図である。
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
図１に示すように、本実施形態のセンサ装置１は、センサ本体２と、通信機３と、フレキシブル管４とを備えている。
【００１２】
センサ装置１では、センサ本体２が図示しない固定器具に連結して測定対象物（例えば、スチームトラップ）に固定される。センサ本体２は、測定対象物の振動および温度の２つを検出する、いわゆる固定タイプのセンサである。通信機３は、図示しないが、信号処理回路や発信部が内蔵された無線の通信機である。フレキシブル管４は、センサ本体２と通信機３との間に連結されている。センサ装置１は、例えば上下方向に延びる状態で測定対象物に固定される。
【００１３】
図２および図３に示すように、フレキシブル管４は、本体管２０と、２つの蓋部材２３，２４と、１つの筒状部材２５と、複数（本実施形態では、２本）のチューブ２７とを備えている。
【００１４】
本体管２０は、両端がセンサ本体２と通信機３とに連結され、内部に信号線１１，１２が挿通されており、フレキシブル管４の本体を構成している。具体的に、本体管２０の下端は、ナット５によってセンサ本体２のケーシング１０に連結されている。本体管２０の上端は、ナット６によって通信機３に連結されている。センサ本体２は、振動および温度の検出信号を送信するための２本の信号線１１，１２を有している。通信機３は、センサ本体２の信号線１１，１２が接続され、該信号線１１，１２を通じて送られた検出信号を処理して外部機器へ無線送信する。なお、２本の信号線１１，１２は、それぞれ温度の検出信号用と振動の検出信号用である。
【００１５】
本体管２０は、金属製（例えば、ステンレス製）の管である。本体管２０は、両端部（即ち、センサ本体２および通信機３との連結部）以外は波形部２１となっている。波形部２１は、管壁が波形状に形成され、可撓性を有する部分である。
【００１６】
２つの蓋部材２３，２４は、本体管２０の両端部（即ち、直線部２２，２３）に嵌め込まれる部材であり、本体管２０の端部を構成している。２つの蓋部材２３，２４は、何れも信号線１１，１２が挿通可能に構成されている。なお、蓋部材２３，２４は例えば樹脂製である。
【００１７】
具体的に、本体管２０の下端（図２において右側端）に嵌め込まれる蓋部材が下側蓋部材２３であり、本体管２０の上端（図２において左側端）に嵌め込まれる蓋部材が上側蓋部材２４である。下側蓋部材２３および上側蓋部材２４は、互いに同様の構成となっている。下側蓋部材２３および上側蓋部材２４は、基部２３ａ，２４ａと、フランジ２３ｂ，２４ｂとを有している。基部２３ａ，２４ａは、本体管２０の端部の内径とほぼ同様の外径を有する円柱状に形成されている。基部２３ａ，２４ａには、軸方向（図２における左右方向）に貫通する２つの挿通孔２３ｃ，２４ｃが形成されている。この挿通孔２３ｃ，２４ｃは、信号線１１，１２が挿通される。フランジ２３ｂ，２４ｂは、基部２３ａ，２４ａの外周に形成されており、本体管２０と共にナット５，６でセンサ本体２および通信機３に連結される部分である。
【００１８】
２本のチューブ２７は、本体管２０の長さよりも若干長く形成され、可撓性を有する樹脂製の管状部材である。２本のチューブ２７は、本体管２０に内挿（挿入）されており、両端が蓋部材２３，２４の基部２３ａ，２４ａに固定されている。具体的に、各チューブ２７は、下端が下側蓋部材２３における基部２３ａの挿通孔２３ｃに挿入され、上端が上側蓋部材２４における基部２４ａの挿通孔２４ｃに挿入されている。各チューブ２７には、信号線１１，１２が１本ずつ挿通されている。つまり、チューブ２７は、本体管２０内において信号線１１，１２を配線するためガイド部材を構成している。
【００１９】
筒状部材２５は、可撓性を有する樹脂製の部材であり、本体管２０の長さよりも若干短く形成され、外径が本体管２０の内径よりも若干小さく形成されている。筒状部材２５は、本体管２０に内挿（挿入）され、両蓋部材２３，２４の間に配置されている。筒状部材２５は、蓋部材２３，２４と若干の隙間を置いて本体管２０に内挿されている。また、筒状部材２５の内部には、樹脂製の仕切板２５ａが設けられている。仕切板２５ａは、筒状部材２５の軸方向に延びる板部材であり、筒状部材２５の内部を２つの空間に仕切っている。こうして仕切られた２つの空間には、チューブ２７が１本ずつ挿通されている。つまり、筒状部材２５の内部は、複数のチューブ２７が各一ずつ挿通される複数の空間に仕切られている。
【００２０】
以上のように、上記実施形態のセンサ装置１では、内部が２本のチューブ２７が各一ずつ挿通される２つの空間に仕切られた筒状部材２５を、フレキシブル管４の本体管２０に内挿するようにした。これにより、フレキシブル管４の本体管２０内において２本のチューブ２７同士が接触することはない。したがって、本体管２０の端部とセンサ本体２および通信機３とをナット５，６でねじ締結する際、各チューブ２７の端部が捻られても、２本のチューブ２７同士が絡み合うことを防止することができる。その結果、チューブ２７同士が絡み合うことに起因するチューブ２７の損傷を防止することができる。また、チューブ２７同士の絡み合いを防止できるので、点検やメンテナンス等で分解した後に再組立てする際、容易に２本のチューブ２７をフレキシブル管４に内挿（挿入）することができる。
【００２１】
また、上記実施形態のセンサ装置１では、フレキシブル管４の本体管２０に筒状部材２５を内挿し、その筒状部材２５内にチューブ２７を挿通させるようにしているので、本体管２０の波形部２１の凹凸壁に邪魔されることなく、容易にチューブ２７をフレキシブル管４に内挿（挿入）することができる。
【００２２】
また、フレキシブル管４の本体管２０のほぼ全体に筒状部材２５を内挿しているので、本体管２０の強度（撓み強度）を向上させることができる。これにより、測定対象物の振動によって引き起こされる特に本体管２０の端部の撓み現象を抑制することができる。したがって、本体管２０（フレキシブル管４）の端部が損傷するのを抑制することができる。
【００２３】
なお、上記実施形態では、筒状部材２５の内部を２つの空間に仕切るようにしたが、この仕切る空間の数はチューブ２７の数と同じ数に設定すればよい。つまり、例えばチューブ２７が３本の場合は筒状部材２５の内部を３つの空間に仕切るようにする。
【００２４】
また、上記実施形態では、センサ本体２が振動および温度の一方のみを検出するものであってもよい。
【産業上の利用可能性】
【００２５】
本願に開示の技術は、測定対象物に固定して測定対象物の振動等を検出するセンサ装置について有用である。
【符号の説明】
【００２６】
１        センサ装置
２        センサ本体
３        通信機
４        フレキシブル管
１１,１２      信号線
２０      本体管
２３      下側蓋部材（本体管の端部）
２４      上側蓋部材（本体管の端部）
２７      チューブ
【図１】
0006427423.tif 000002
【図２】
0006427423.tif 000003
【図３】
0006427423.tif 000004